(57)【要約】【課題】非ＩＰ系のホストコンピュータと端末装置とをＩＰ網に接続してパケット交換を実現し、このとき、過去の財産を生かしながら安価にパケット交換を行う。【解決手段】非ＩＰ系のホストコンピュータ１と端末装置２間の通信をＩＰ網３経由で実行するために、ＩＰ網３にパケット交換装置（ＸＰＳＶ９）を接続した。また、非ＩＰ系のホストコンピュータ１に、端末装置２へのデータを受信してパケット交換装置９に仮想回線経由で送信するサーバ手段（ＸＴＡ−Ｓ７）を付加し、また、非ＩＰ系の端末装置に、データを仮想回線経由で転送するクライアント手段（ＸＴＡ−Ｃ８）を付加した。【選択図】      図１
2005244552.tif 000002
【特許請求の範囲】
【請求項１】
非ＩＰ系のホストコンピュータと非ＩＰ系の端末とのパケットの交換を、ＩＰ網を介して行うパケット交換システムであって、
前記非ＩＰ系のホストコンピュータから前記非ＩＰ系の端末へのデータを受信し、あらかじめ設定された前記ＩＰ網に接続されるパケット交換装置を選択し、前記データを、前記選択されたパケット交換装置へ仮想回線経由で送信するサーバ手段と、
あらかじめ記憶手段に格納された管理表から前記非ＩＰ系の端末に接続されたパケット端末アダプタ装置を選択し、当該選択されたパケット端末アダプタ装置へのデータを前記仮想回線経由で前記非ＩＰ系の端末へ転送するクライアント手段と、
を備えたことを特徴とするパケット交換システム。
【請求項２】
前記サーバ手段は、前記パケット交換装置を、前記ＩＰ網に接続される前記パケット交換装置毎のＩＰアドレスが設定される管理表から選択することを特徴とする請求項１に記載のパケット交換システム。
【請求項３】
前記管理表は、前記パケット端末アダプタ装置が接続される非ＩＰ系の端末毎のＩＰアドレスが設定されることを特徴とする請求項１に記載のパケット交換システム。
【請求項４】
非ＩＰ系のホストコンピュータと非ＩＰ系の端末とのパケットの交換を、ＩＰ網を介して行うパケット交換システムにおいて、前記ＩＰ網に接続されるパケット交換装置であって、
前記非ＩＰ系のホストコンピュータもしくは非ＩＰ系の端末により生成されるパケットをＩＰパケットにカプセル化してパケットのフォーマット変換を行うフォーマット変換手段と、
あらかじめ用意された管理表に設定されるパケット端末アダプタ装置のＩＰアドレスに基づき、当該パケット端末アダプタ装置が接続される前記非ＩＰ系の端末間のパケットを交換するパケット交換手段と、
を備えたことを特徴とするパケット交換装置。
【請求項５】
非ＩＰ系のホストコンピュータと非ＩＰ系の端末とのパケットの交換を、ＩＰ網を介して行うパケット交換システムにおいて、前記非ＩＰ系の端末に接続されるパケット端末アダプタ装置であって、
前記非ＩＰ系の端末とのインタフェースを前記ＩＰ網接続インタフェースに変換するインタフェース変換手段と、
前記ＩＰ網接続インタフェースを介して到来するパケットをＩＰパケットにカプセル化することによってパケットのフォーマット変換を行うフォーマット変換手段と、
あらかじめ用意される管理表に設定され、前記ＩＰ網に接続されたパケット交換装置に対し、前記フォーマット変換手段によってＩＰカプセル化したパケットを転送するパケット転送手段と、
を備えたことを特徴とするパケット端末アダプタ装置。
【請求項６】
前記非ＩＰ系の端末との間で交換されるパケットの履歴を収集するログ収集手段、
を備えたことを特徴とする請求項５に記載のパケット端末アダプタ装置。
【請求項７】
異常時に発生するアラームの通知を、前記非ＩＰ系の端末の稼働時と保守時で区別して管理するアラーム監視手段、
を備えたことを特徴とする請求項５に記載のパケット端末アダプタ装置。
【請求項８】
外部接続される運用監視センタからのループバックテストを実行する診断手段、
を備えたことを特徴とする請求項５に記載のパケット端末アダプタ装置。
【請求項９】
非ＩＰ系のホストコンピュータと非ＩＰ系の端末とのパケットの交換を、ＩＰ網を介して行うパケット交換システムにおいて、前記ＩＰ網に接続されるパケット交換装置に用いられるコンピュータプログラムであって、
前記非ＩＰ系のホストコンピュータもしくは非ＩＰ系の端末により生成されるパケットをＩＰパケットにカプセル化してパケットのフォーマット変換を行う処理と、
あらかじめ用意された管理表に設定されるパケット端末アダプタ装置のＩＰアドレスに基づき、当該パケット端末アダプタ装置が接続される前記非ＩＰ系の端末間のパケットを交換する処理と、
をコンピュータに実行させるコンピュータプログラム。
【請求項１０】
非ＩＰ系のホストコンピュータと非ＩＰ系の端末とのパケットの交換を、ＩＰ網を介して行うパケット交換システムにおいて、前記非ＩＰ系の端末に接続されるパケット端末アダプタ装置に用いられるコンピュータプログラムであって、
前記非ＩＰ系の端末とのインタフェースを前記ＩＰ網接続インタフェースに変換する処理と、
前記ＩＰ網接続インタフェースを介して到来するパケットを、前記ＩＰ網で使用されるプロトコルに従って、ＩＰパケットにカプセル化することによってパケットのフォーマット変換を行う処理と、
あらかじめ用意される管理表に設定され、前記ＩＰ網に接続されたパケット交換装置に対し、前記ＩＰカプセル化したパケットを転送する処理と、
をコンピュータに実行させるコンピュータプログラム。
【発明の詳細な説明】
【技術分野】
【０００１】
本発明は、パケット交換システム、パケット交換装置、パケット端末アダプタ装置、およびコンピュータプログラムに関する。
【背景技術】
【０００２】
情報化社会の進展につれ、情報通信ネットワークも、量的、質的に急速に進展してきている。かつては、ホストコンピュータ集中型の自社内でクローズした情報通信に満足していたユーザも、今日では、インターネット等の普及により、より広域でオープンな情報通信ネットワークの構築を望むようになった。
【０００３】
例えば、ＳＮＡ（System Network Architecture）の場合、ＷＡＮ（Wide Area Network）にＤＤＸ−Ｐ（Digital Data eXchange-P）が用いられ、ＤＤＸ−Ｐのネットワーク層ではＯＳＩ（Open Systems Interconnection）で規定するコネクション型のパケット通信プロトコルＸ．２５が用いられる。これに対し、インターネットは、コネクションレス型のパケット通信プロトコルが用いられる。インターネットワーキングを行って両者を統合する場合、ＷＡＮ／ＬＡＮ（Local Area Network）間のプロトコル変換を行って整合性をとる必要がある。すなわち、ＬＡＮとの通信はＴＣＰ／ＩＰ（Transmission Control Protocol／Internet Protocol）で、ＤＤＸ−Ｐとの通信はＸ．２５で行う必要がある。このため、ＩＰネットワークとＸ．２５ネットワーク間の統合化をはかるための手段が従来から多数提案されている（例えば、特許文献１、２参照）。
【特許文献１】特開平５−１４５５５１号公報（段落［００１２］〜［００１３］、図１）
【特許文献２】特開２００３−５１８５６号公報（段落［００１１］〜［００１９］、図１）
【発明の開示】
【発明が解決しようとする課題】
【０００４】
しかしながら、前記した特許文献１及び特許文献２によれば、エンド間でパケット交換を行う際に、多数の交換機、あるいはルータを介して行われるために、それぞれの装置間で前記の処理を行う必要がある。従って、交換経路が複雑になって伝送遅延の発生要因となっていた。また、リモートへのパケット転送時、ＤＤＸ−ＰのデータパケットにＩＰパケットを挿入（ＩＰカプセル化）し、一方、ＤＤＸ−Ｐのデータパケットを受信した時、そのパケットからＩＰパケットを取り出し、ＬＡＮに整合させながら通信を行う操作も必要となる。
前記したように、ＩＰに移行したくてもせっかくの非ＩＰ系の装置を無駄にすることになり好ましくない。また、移行の過程で非ＩＰ系のホストコンピュータ、端末と組み合わせても交換経路が複雑になることからパケット遅延が生じ、更に、ＩＰカプセル化あるいはパケット抽出、整合にかかる負担は大きく、このために要する交換機あるいはルータ等のリソースを多く必要としていた。
【０００５】
本発明は、前記事情に鑑みてなされたものであり、非ＩＰ系のホストコンピュータと端末装置とをＩＰ網に接続してパケット交換を実現するものであり、このとき、過去の財産を生かしながら安価にパケット交換を行うことのできる、パケット交換システム、パケット交換装置、パケット端末アダプタ装置およびコンピュータプログラムを提供することを目的とする。
【課題を解決するための手段】
【０００６】
前記した課題を解決するために本発明は、非ＩＰ系のホストコンピュータと非ＩＰ系の端末とのパケットの交換を、ＩＰ網を介して行うパケット交換システムであって、
前記非ＩＰ系のホストコンピュータから前記非ＩＰ系の端末へのデータを受信し、あらかじめ設定された前記ＩＰ網に接続されるパケット交換装置を選択し、前記データを、前記選択されたパケット交換装置へ仮想回線経由で送信するサーバ手段と、
あらかじめ記憶手段に格納された管理表から前記非ＩＰ系の端末に接続されたパケット端末アダプタ装置を選択し、当該選択されたパケット端末アダプタ装置へのデータを前記仮想回線経由で前記非ＩＰ系の端末へ転送するクライアント手段と、
を備えたことを特徴とする。
【発明の効果】
【０００７】
本発明によれば、過去の財産である非ＩＰ系の装置を活かしながら、安価なパケット交換が可能になる。
【発明を実施するための最良の形態】
【０００８】
図１は、本発明の一実施形態におけるパケット交換システムの基本構成を示す図である。図１において、符号１は、非ＩＰ系のホストコンピュータ、符号２は、非ＩＰ系のパケット端末装置であり、ここでは、ＯＳＩで規定するコネクション型のパケット通信プロトコルＸ．２５が標準で用いられていることとする。このため、以降では便宜上、端末装置２をＸ．２５端末２という。
符号３はＩＰ網であり、ＩＰ網３には、ホストコンピュータ１と、Ｘ．２５端末２との間のパケット交換をＩＰ網３経由で行うパケット交換装置９（以下、ＸＰＳＶ９という）がルータ６を介して接続される。また、ホストコンピュータ１は、ルータ４の他に、パケット端末アダプタ装置７を介し、Ｘ．２５端末２は、ルータ５の他にパケット端末アダプタ装置８を介してそれぞれ接続される。
【０００９】
パケット端末アダプタ装置７、８は、Ｘ．２５ＤＴＥ（Data Terminal Equipment）をＬＡＮに接続する装置であり、ホストコンピュータ１に接続されるパケット端末アダプタ装置（以下、ＸＴＡ−Ｓ７という）と、Ｘ．２５端末２に接続されるパケット端末アダプタ装置（以下、ＸＴＡ−Ｃ８という）がある。
ＸＴＡ−Ｓ７は、ホストコンピュータ１からＸ．２５端末２へのデータを受信し、あらかじめ配布された後記する管理表（ＸＰＳＶ一覧表）からＩＰ網３に接続される適当なパケット交換装置９を選択し、仮想回線経由で選択されたパケット交換装置９へ送信するサーバ手段として動作する。
ＸＴＡ−Ｃ８は、あらかじめ配布されたＸＴＡ一覧表からＸ．２５端末２に接続されたＸＴＡ−Ｃ８を選択し、当該選択されたＸＴＡ−Ｃ８へのデータを仮想回線経由で転送するクライアント手段として動作する。
ここで、仮想回線とは、ＨＤＬＣ over ＩＰ（ＨＤＬＣｏＩＰ）による、ＩＰ網３のＸＴＡ７、８とＸＰＳＶ９間のＨＤＬＣ全二重論理回線をいう。なお、ＨＤＬＣ over ＩＰとは、ＨＤＬＣフレームをＩＰパケットでカプセル（ＨＤＬＣに準拠したフレームにＩＰパケットを挿入／ＨＤＬＣフレームからＩＰパケットを取り出す処理）転送する方式をいう。
【００１０】
図２は、ＸＴＡ−Ｃ８の実装構造を説明するために引用した図である。ＸＴＡ−Ｃ８は、Ｘ．２５端末２の傍らに設置し、１台のＸ．２５端末２のみを接続するため、小型、軽量、安価に製造可能であり、モデム感覚で使用できる。
ＩＰ端末１１、１２同様、ＸＴＡ−Ｃ８をハブ１０等にＵＴＰ（Unshield Twist Pair Cable）ケーブルで接続するだけでＩＰ網３を経由してホストコンピュータ１との通信が可能となる。
【００１１】
図３、図４は、本実施形態の接続構成の一例を示す図であり、それぞれ、１台のＸＰＳＶによる基本構成例（図３）、複数のＸＰＳＶによる冗長構成例（図４）を示す。
図３の基本構成から説明する。図５に、接続シーケンスが示されている。まず、ホストコンピュータ１は、Ｘ．２５端末２へのデータを、Ｘ．２１シリアル回線経由で送る（Ｓ１）。一方、ＸＴＡ−Ｓ＃０（７）は、ホストコンピュータ１からのデータを受け、図示せぬＸＰＳＶ一覧表から最適なＸＰＳＶ＃１（９）を選択し、Ｘ．２５端末２へのデータを仮想回線経由でＸＰＳＶ＃１（９）に送る（Ｓ２）。ＸＰＳＶ＃１（９）は、図示せぬＸＴＡ一覧表からＸ．２５端末２と接続されているＸＴＡ−Ｃ＃１（８）を選択し、Ｘ．２５端末２へのデータを仮想回線経由でＸＴＡ−Ｃ＃１（８）に送る（Ｓ３）。続いて、ＸＴＡ−Ｃ＃１（８）は、Ｘ．２５端末２へのデータを、Ｘ．２１シリアル回線経路でＸ．２５端末２に送る。
なお、ＸＰＳＶ一覧表に登録されるＸＰＳＶ９は、１台でもよいし、複数台でもよい。複数台のＸＰＳＶ９から選択させることにより、そのうちの１台のＸＰＳＶ９が故障しても、別のＸＰＳＶ９を選択することができ、システム全体の信頼性が向上する。
【００１２】
以上の手順に従い、ホストコンピュータ１とＸ．２５端末２間のＸ．２５仮想回線が接続される。本仮想回線を利用して、以後のホストコンピュータ１とＸ．２５端末２間の通信が、ＸＰＳＶ＃１（９）経由で可能となる。
【００１３】
次に、図４の複数ＸＰＳＶ９による冗長構成例の接続手順について説明する。まず、ホストコンピュータ１は、Ｘ．２５端末２へのデータを、Ｘ．２１シリアル回線経由で送る（Ｓ１）。ＸＴＡ−Ｓ＃０（７）は、ホストコンピュータ１からのデータを受け、図示せぬＸＴＡ／ＸＰＳＶ一覧表から最適なＸＰＳＶ＃１を選び、Ｘ．２５端末２へのデータを仮想回線経由でＸＰＳＶ＃１（９）に送る（Ｓ２）。ここで、ＨＤＬＣ（Highlevel Data Link Control）エラー等でＸＰＳＶ＃１（９）と通信できない場合、ＸＴＡ−Ｓ＃０（７）は、次のＸＰＳＶを選択する（Ｓ２ａ）。ＸＴＡ−Ｓ＃０（７）は、ＸＴＡ／ＸＰＳＶ一覧表から次のＸＰＳＶとしてＸＰＳＶ＃２（９）を選択し、Ｘ．２５端末１へのデータを仮想回線経由でＸＰＳＶ＃２（９）に送る（Ｓ２ｂ）。
ＸＰＳＶ＃２（９）は、図示せぬＸＴＡ一覧表からＸ．２５端末２と接続されているＸＴＡ−Ｃ＃１（８）を選択し、Ｘ．２５端末２へのデータを仮想回線経由でＸＴＡ−Ｃ＃１（８）に送る（Ｓ３）。続いて、ＸＴＡ−Ｃ＃１（８）は、Ｘ．２５端末２へのデータを、Ｘ．２１シリアル回線経路で端末１に送る（Ｓ４）。
【００１４】
以上の手順に従い、図３に示す基本構成同様、ホストコンピュータ１とＸ．２５端末２間のＸ．２５仮想回線が接続される。本仮想回線を利用して、以後のホストコンピュータ１とＸ．２５端末２間の通信が、ＸＰＳＶ＃１（９）経由で可能となる。
【００１５】
図６は、本発明のＸＰＳＶの内部構成を機能展開して示したブロック図である。ここでは、本発明と関係するブロックのみ抽出して示してある。
図６に示されるように本発明のＸＰＳＶ９は、フォーマット変換部９１と、パケット交換部９２と、ＸＴＡ一覧表９３で構成される。
【００１６】
フォーマット変換部９１は、非ＩＰ系のホストコンピュータ１もしくはＸ．２５端末２により生成されるパケットをＩＰパケットにカプセル化してパケットのフォーマット変換を行う機能を持ち、パケット交換部９２は、あらかじめ用意された管理表としてＸＴＡ一覧表９３に設定されるＸＴＡ−Ｃ８のＩＰアドレスに基づき、当該ＸＴＡ−Ｃ８が接続されるＸ．２５端末２間のパケット交換機能を持つ。
ＸＴＡ一覧表９３は、そのデータ構造の一例が図８（ｂ）に示されるように、各エントリが、端末番号（ＤＴＥ番号）と、当該端末番号に付されたＩＰアドレスの対で構成される。
【００１７】
図７は、本発明のＸＴＡの内部構成を機能展開して示したブロック図である。ここでは、本発明と関係するブロックのみ抽出して示してある。
図７に示されるように、本発明のＸＴＡ８は、インタフェース変換部８１と、フォーマット変換部８２と、パケット転送部８３と、ＸＰＳＶ一覧表８４と、ログ記憶部８５（ログ収集手段）と、診断制御部８６（診断手段）と、アラーム監視部８７（アラーム監視手段）で構成される。
インタフェース変換部８１は、非ＩＰ系のＸ．２５端末２とのインタフェースをＩＰ網３接続インタフェースに変換する、具体的にはシリアルインタフェースをＬＡＮインタフェースに変換する機能を持つ。また、フォーマット変換部８２は、ＩＰ網接続インタフェースを介して到来するパケットをＩＰパケットにカプセル化することによってパケットのフォーマット変換を行う機能を持つ。
パケット転送部８３は、あらかじめ用意される管理表としてのＸＰＳＶ一覧表８４に設定され、ＩＰ網３に接続されたＸＰＳＶ９に対し、フォーマット変換部８２によってＩＰカプセル化したパケットを転送する機能を持つ。
【００１８】
ＸＰＳＶ一覧表８４は、図８（ａ）にそのデータ構造の一例が示されるように、各エントリは、ＸＰＳＶのＩＤと、そのＩＤに付されるＩＰアドレスが対で構成される。ここで、ＸＰＳＶ優先とは、データ時に選択されるＸＰＳＶ９の優先情報を示し、（１）が最優先で選択されるものとする。
なお、前記したＸＰＳＶ一覧表８４、ＸＴＡ一覧表９３ともに、例えば、ＩＰ網３に接続される管理装置（図示せず）から配布を受け、当該管理装置が持つデータベースから自動的に作成され配布されるものとする。なお、管理者による手動登録設定も可能とする。また、システムを構築する全てのＸＰＳＶ９とＸＴＡ８は、同じ一覧表を使用するものとする。
【００１９】
一方、ログ記憶部８５には、Ｘ．２５端末２との間で交換されるパケットの履歴が格納される。また、診断制御部８６は、外部接続される運用監視センタからのループバックテストを実行してその結果を返答する機能を持ち、アラーム監視部８７は、異常時に発生するアラームの通知を、Ｘ．２５端末２の稼働時と保守時で区別して管理する機能を持つ。このことにより、稼働時に異常が発生した場合アラームを鳴らすが、保守時には鳴らさないといった柔軟性の高い制御が可能となる。この機能は、Ｘ．２５端末２が、例えばキャッシュディスペンサである場合等に有効である。
【００２０】
さらに、パケット端末アダプタ装置７，８は、接続されるＩＰ網３として、ＩＰｖ４網だけでなく、ＩＰｖ６網を適用してもよい。その場合、ＩＰカプセル化の処理には、ＩＰｖ４の替わりに、ＩＰｖ６のヘッダが付される。そして、パケット端末アダプタ装置７，８は、ＴＯＳ（Type of Service）などのパケットの優先度を示す情報を、パケットを中継する際に書き換える機能を有してもよい。さらに、パケット端末アダプタ装置７，８は、パケット交換装置９とデータ通信を行う際に、パケットを暗号化する処理を行ってもよい。
【００２１】
図１１に、ＸＰＳＶの動作がフローチャートで示されている。ここに示されるフローチャートは、本発明プログラムの処理手順についても示している。以下、図１１に示すフローチャートを参照しながら、図６に示すＸＰＳＶ９の動作について詳細に説明する。
まず、ホスト１は、Ｘ．２５端末２へのデータを、Ｘ．２１シリアル回線経由で送る。ＸＴＡ−Ｓ７は、ホストコンピュータ１からのデータを受け、先に管理装置によって配布されたＸＰＳＶ一覧表８４から最適なＸＰＳＶ９を選択して、Ｘ．２５端末２へのデータを仮想回線経由でＸＰＳＶ９に送信する。
ＸＰＳＶ９は、Ｘ．２５端末２へのデータを受けると（Ｓ１１１、Ｙｅｓ）、先に管理装置によって配布されたＸＴＡ一覧表９３から目的のＸ．２５端末２が接続されるＸＴＡ−Ｃ８を選択し（Ｓ１１２）、該当するＩＰアドレスを取得する（Ｓ１１３）。そして、Ｘ．２５端末２へのデータを、ＸＴＡ−Ｃ８に送信する（Ｓ１１４）。続いて、ＸＴＡ−Ｃ８は、Ｘ．２５端末２へのデータを、Ｘ．２１シリアル回線経路でＸ．２５端末２に送る。
以上の手順に従い、ホストコンピュータ１とＸ．２５端末２間のＸ．２５仮想回線が接続される。本仮想回線を利用して、以後のホストコンピュータ１とＸ．２５端末２１間の通信が、ＸＰＳＶ９経由で可能となる（Ｓ１１５）。なお、ＸＰＳＶ９は、ホストコンピュータ１からの切断要求を受信（Ｓ１１６、Ｙｅｓ）し、仮想回線による接続の切断処理を実行して処理を終了する（Ｓ１１７）。
【００２２】
図９にＩＰカプセル化のフォーマット例、図１０にＨＤＬＣ over ＩＰを使用した場合におけるパケットの伝播形態が示されている。
図９に示されるように、基本的には、４バイトのコントロールワード、２バイトのＨＤＬＣヘッダ、３バイトのＸ．２５パケットヘッダ、任意長のＸ．２５ユーザデータから成るＨＤＬＣフレームに、１４バイトのＭＡＣ（Media Access Control Address）ヘッダ、２０バイトのＩＰヘッダ、８バイトのＵＤＰ（User Datagram Protocol）ヘッダ、ＦＣＳ（Frame Check Sequence）でカプセル化したＨＤＬＣ orver ＩＰのカプセル化フォーマットを用いている。なお、ユーザデータのデータ長は、ユーザ仕様に従う。
また、コントロールワードは、同パケット内において、コントロールワードの後にくるデータの種別を特定するためのタイプＩＤと、パケットの送信順序を規定するためのパケットのＩＤと、を含めて構成される。
【００２３】
本実施形態によれば、前記したＨＤＬＣ over ＩＰを用いてホストコンピュータ１と、Ｘ．２５端末２との間の通信をＩＰ網３経由で行う。
具体的には、図１０に示されるように、ホストコンピュータ１からリモートのＸ．２５端末２へパケットを転送する場合、Ｘ．２５パケットにＩＰパケットを挿入（ＩＰカプセル化）して図９に示すフォーマットに変換し、一方、Ｘ．２５のパケットを受信した時、そのパケットからＩＰパケットを取り出してＬＡＮに整合させながら通信を行う必要がある。このため、ＸＴＡ７、８では、フォーマット変換部８２でＩＰカプセル化、あるいはＩＰパケットを取り出す操作が行われ、インタフェース変換部８１ではシリアルとＬＡＮ間の双方向の変換が行われる。なお、試験、再送等についてはＨＤＬＣフレームを用いて実行される。
【００２４】
以上の説明のように本発明は、非ＩＰ系のホストコンピュータ１と、端末装置２間との通信を、ＩＰ網３経由で実行する。そのために、ＩＰ網３にパケット交換装置（ＸＰＳＶ９）を接続し、また、非ＩＰ系のホストコンピュータ１に、端末装置２へのデータを受信してＸＰＳＶ９に仮想回線経由で送信するサーバ手段（ＸＴＡ−Ｓ７）を付加し、また、非ＩＰ系の端末装置２に、当該端末装置２にデータを仮想回線経由で転送するクライアント手段（ＸＴＡ−Ｃ８）を付加したものである。このことにより、非ＩＰ系のホストコンピュータ１と端末装置２をＩＰ網３に接続してパケット交換を実現することができ、このとき、過去の財産を生かしながら安価にパケット交換が可能になる。
また、ＸＴＡ−Ｃ８は、１台のＸ．２５端末２のみを接続するためモデム間隔でその使用が可能であり、このため、小型で軽量・安価に製造できる。更に、ＩＰ端末同様、ＸＴＡ−Ｃ８をハブ等にＵＴＰケーブルで接続するだけでホストコンピュータ１と通信が可能になる。
【００２５】
また、本発明の一実施形態によれば、以下に列挙する（１）〜（９）の利点も得られる。
（１）Ｘ．２５端末２は、１個のＩＰアドレスのみ使用するため、ＩＰアドレスの消費が少なく、Ｘ．２５端末２の設置台数が少ない拠点では、既存サブネットの空きアドレスを利用できる。また、Ｘ．２５端末２がＩＰ端末に移行した時、同一ＩＰアドレスを継続利用できる。
（２）ＤＮＳ（Domain Name Server）へ、ＤＴＥ番号相当をホスト名として登録することで、ＤＴＥ番号相当によりＸＴＡ−Ｃ８に対して、ｐｉｎｇやｔｅｌｎｅｔコマンドが実行できる。Ｘ．２５端末１の構成変更は、外部の管理装置が所有するＸＴＡ管理ＤＢの当該エントリを修正するだけで、ＸＴＡ−Ｃ８への配布情報が自動作成可能であり、従って運用が容易になる。
（３）複数台設置するＸＰＳＶ９への配布情報は全てのＸＰＳＶ９に同じ情報を使用するため管理が容易であり、ＸＴＡ−Ｃ８は、ＸＰＳＶ９のＩＰアドレスのみ定義するため、他のＸＴＡの構成変更に影響されない。外部接続される管理装置が有するＸＰＳＶ管理ＤＢ（Data Base）及びＸＴＡ管理ＤＢのみを管理すれば、ＸＰＳＶ９やＸＴＡ７、８への配布情報が自動作成可能である。
【００２６】
（４）ＸＰＳＶ９はＬＡＮインタフェース１回線のみを接続する構造のため、ベースとなる機械の選択が自由である。開発が容易な環境を実現できる機械を選択させ、容易に新規開発が出来る。
（５）Ｘ．２５端末２単位で負荷分散が可能となるため負荷の均等化が図れる。
（６）ＸＴＡ−Ｃ８は１台のＸ．２５端末２のみを接続するため、１台のＸＴＡ−Ｃ８の障害が他のＸ．２５端末２に影響を与えることはないことにより、高信頼性が得られる。
（７）ＸＰＳＶ９は複数台設置することにより、負荷分散、冗長構成を実現し、高信頼システムを構成できる。
（８）パケット交換機は１台しか経由しないので、パケット交換処理遅延を最小にすることができる。
（９）交換機間インタフェースを使用しないため標準化が容易であり、常に１台のパケット交換機能しか通過しないのでパケット交換機間のプロトコルが不要である。ＨＤＬＣ ｏｖｅｒ ＩＰのみの標準規格が有ればよい。
【００２７】
なお、本発明は、非ＩＰ系の装置をＩＰ網に接続する接点となるパケット端末アダプタ装置と、パケット端末アダプタ装置間の通信を中継するパケット交換装置とが、ＩＰ網内に設置される。ここで、パケット端末アダプタ装置は、パケット交換装置とカプセル化通信を行う機能を有するため、他のパケット端末アダプタ装置に関する情報を持たなくて済む。よって、パケット端末アダプタ装置に搭載される機能を簡略化することにより、パケット端末アダプタ装置を安価に導入可能となる。
【図面の簡単な説明】
【００２８】
【図１】本実施形態に係るパケット交換システムの基本構成を示す図である。
【図２】本実施形態に係るＸＴＡ−Ｃの実装構造を説明するために引用した図である。
【図３】本実施形態に係る接続構成の一例を示す図である。
【図４】本実施形態における接続構成の他の例を示す図である。
【図５】本実施形態に係る接続手順を示す図である。
【図６】本実施形態に係るＸＰＳＶの内部構成を機能展開して示したブロック図である。
【図７】本実施形態に係るＸＴＡの内部構成を機能展開して示したブロック図である。
【図８】本実施形態における管理表のデータ構造の一例を示す図である。
【図９】本実施形態に係るＩＰカプセル化のフォーマット例を示す図である。
【図１０】本実施形態に係るパケットの伝播の形態を示す図である。
【図１１】本実施形態に係るＸＰＳＶの処理手順を示すフローチャートである。
【符号の説明】
【００２９】
１      ホストコンピュータ（非ＩＰ系のホストコンピュータ）
２      Ｘ．２５端末（非ＩＰ系の端末）
３      ＩＰ網
４，５，６  ルータ
７      ＸＴＡ−Ｓ（サーバ手段）
８      ＸＴＡ−Ｃ（クライアント手段）
９      ＸＰＳＶ（パケット交換装置）
８１    インタフェース変換部（インタフェース変換手段）
８２    フォーマット変換部（フォーマット変換手段）
８３    パケット転送部（パケット転送手段）
８４    ＸＰＳＶ一覧表（管理表）
８５    ログ記憶部（ログ収集手段）
８６    診断制御部（診断手段）
８７    アラーム監視部（アラーム監視手段）
９１    フォーマット変換部（フォーマット変換手段）
９２    パケット交換部（パケット交換手段）
９３    ＸＴＡ一覧表（管理表）
【図１】
2005244552.tif 000003
【図２】
2005244552.tif 000004
【図３】
2005244552.tif 000005
【図４】
2005244552.tif 000006
【図５】
2005244552.tif 000007
【図６】
2005244552.tif 000008
【図７】
2005244552.tif 000009
【図８】
2005244552.tif 000010
【図９】
2005244552.tif 000011
【図１０】
2005244552.tif 000012
【図１１】
2005244552.tif 000013